(57)【特許請求の範囲】
【請求項１】
圧縮された高画質ディジタルテレビ放送信号を受信する受信部と、
上記受信部が受信したテレビ放送信号をハードディスクに記録する記録部と、を備えたパーソナルビデオレコーダにおいて、
上記受信部が受信した上記高画質ディジタルテレビ放送信号をデコードするとともに、このデコードされた高画質テレビ放送信号を標準画質ディジタルテレビ放送信号にダウンコンバートするダウンコンバータと、
上記ダウンコンバータによりダウンコンバートされた標準画質ディジタルテレビ放送信号を圧縮するエンコーダと、
上記受信部で受信したテレビ放送信号が、上記高画質ディジタルテレビ放送信号であるか、標準画質ディジタルテレビ放送信号であるかをこのテレビ放送信号の転送レートから判別する判別手段と、を備え、
上記記録部は、上記判別手段が高画質ディジタルテレビ放送信号であると判別したときには上記エンコーダによりエンコードされた標準画質ディジタルテレビ放送信号を上記ハードディスクに記録し、反対に上記判別手段が標準画質ディジタルテレビ放送信号であると判別したときには上記受信部で受信したテレビ放送信号を上記ハードディスクに直接記録するパーソナルビデオレコーダ。
【請求項２】
圧縮された高画質ディジタルテレビ放送信号を受信する受信部と、
上記受信部が受信したテレビ放送信号を記録する記録部と、を備えたパーソナルビデオレコーダにおいて、
上記受信部が受信した上記高画質ディジタルテレビ放送信号をデコードするとともに、このデコードされた高画質テレビ放送信号を標準画質ディジタルテレビ放送信号にダウンコンバートするダウンコンバータと、
上記ダウンコンバータによりダウンコンバートされた標準画質ディジタルテレビ放送信号を圧縮するエンコーダと、
上記受信部で受信したテレビ放送信号が、上記高画質ディジタルテレビ放送信号であるか、標準画質ディジタルテレビ放送信号であるかを、このテレビ放送信号の転送レートから判別する判別手段と、を備え、
上記記録部は、上記判別手段が高画質ディジタルテレビ放送信号であると判別したときには上記エンコーダによりエンコードされた標準画質ディジタルテレビ放送信号を記録し、反対に上記判別手段が標準画質ディジタルテレビ放送信号であると判別したときには上記受信部で受信したテレビ放送信号を直接記録するパーソナルビデオレコーダ。
【発明の詳細な説明】
【０００１】
【発明の属する技術分野】
この発明は、ディジタルテレビ放送による番組を受信し、受信した番組を録画するパーソナルビデオレコーダに関する。
【０００２】
【従来の技術】
従来、ディジタルテレビ放送による番組の放送が行われている。ディジタルテレビ放送による番組の多くは、Ｈｉｇｈ  Ｄｅｆｉｎｉｔｉｏｎ方式（以下、ＨＤ方式と言う。）による高画質ディジタルテレビ放送信号で放送されている。ＨＤ方式は、ＮＴＳＣ方式に比べて走査線の数が約２倍であり、高画質の映像を楽しむことができる。また、画面の縦横比は９対１６である。
【０００３】
ところで、高画質ディジタルテレビ放送信号を受信し、高画質の映像を楽しむには、従来のＮＴＳＣ方式のテレビ受像機ではなく、ＨＤ方式対応のテレビ受像機（ＨＤＴＶ）が必要になる。このＨＤＴＶが高価であり、あまり普及していないのが現状である。このため、ＨＤ方式によるディジタルテレビ放送を受信し、録画する従来のパーソナルビデオレコーダ（以下、ＰＶＲと言う。）には、ＨＤ方式による高画質のディジタルテレビ放送信号をダウンコンバートし、ＮＴＳＣ方式のコンポジット信号で出力する構成が設けられていた。したがって、高価なＨＤＴＶを所有していないユーザであっても、ＰＶＲにＨＤ方式によるディジタルテレビ放送の番組を録画し、ＮＴＳＣ方式のテレビ受像機で視聴できる。
【０００４】
図４は、従来のＰＶＲの構成を示すブロック図である。
【０００５】
従来のＰＶＲ１０は、ディジタルテレビ放送信号を受信する受信部１１と、受信部１１で受信したディジタルテレビ放送信号をデコードするＭＰＥＧデコーダ１２と、ＭＰＥＧデコーダ１２でデコードされたディジタルテレビ放送信号をＮＴＳＣ方式のＣｏｍｐｏｓｉｔｅ信号にコンバートするＮＴＳＣコンバータ１３と、ハードディスクを有する記録部１４を備えていた。ＭＰＥＧデコーダ１２は、受信したディジタルテレビ放送信号、通常ＭＰＥＧ２で圧縮されている、をデコードするだけでなく、ＨＤ方式による高画質ディジタルテレビ放送信号であれば、ＳＤ方式による標準画質ディジタルテレビ放送信号にダウンコンバートする機能を備えている。ＮＴＳＣコンバータ１３はダウンコンバートされた標準画質ディジタルテレビ放送信号をＮＴＳＣ方式のＣｏｍｐｏｓｉｔｅ信号にコンバートし、出力する。
【０００６】
したがって、ＮＴＳＣコンバータ１３の出力をＮＴＳＣ方式のテレビ受像機に入力することにより、高価なＨＤＴＶを所有していないユーザもディジタルテレビ放送による番組を楽しむことができる。
【０００７】
【発明が解決しようとする課題】
しかしながら、従来のＰＶＲ１０は受信したＨＤ方式による高画質のディジタルテレビ放送信号を、そのまま記録部１４に記録していた。ＨＤ方式によるディジタルテレビ放送信号の転送レートは約２０Ｍｂｐｓであり、例えば記憶容量が６０Ｇｂｙｔｅである大容量のハードディスクを有する記録部１４であっても、約５時間しか録画できず、録画時間が短いという問題があった。
【０００８】
なお、ＭＰＥＧデコーダ１２は、記録部１４に記録されているディジタルテレビ放送信号を読み出す、デコードする機能も有している。
【０００９】
また、特開平１１−２３８３１０号には、ＤＶＤ−ＲＡＭ、およびＤＶＤ−Ｒ素材から構成される２層ＤＶＤディスクを記録媒体とする、ＰＶＲが開示されている。そして、録画時間を延ばす方法として、受信した映像データをＤＶＤ−ＲＡＭ部に仮記録し、この仮記録した映像データを可変レート符号化方式で圧縮しＤＶＤ−Ｒ部に記録しなおすことが開示されている。可変レート符号化方式とは、映像データを全て同じ圧縮率で圧縮する固定レート符号化方式と違って、データ量の多い映像ほど低圧縮率で圧縮する方式であり、映像に応じた圧縮率で圧縮する方式である。
【００１０】
しかし、この方式は受信した映像データをＤＶＤ−ＲＡＭ部に仮記録し、その後ＤＶＤ−Ｒ部に記録しなおす構成であることから、録画処理にかかる時間が長いという問題があった。
【００１１】
この発明の目的は、ＨＤ方式による高画質ディジタルテレビ放送信号をダウンコンバートし、ＳＤ方式による標準画質ディジタルテレビ放送信号で録画することにより、記録部の記録容量を増加させることなく、録画時間を延長させたパーソナルビデオレコーダを提供することにある。
【００１２】
【課題を解決するための手段】
この発明のパーソナルビデオレコーダは、上記課題を解決するために以下の構成を備えている。
【００１３】
圧縮された高画質ディジタルテレビ放送信号を受信する受信部と、
上記受信部が受信したテレビ放送信号を記録する記録部と、を備えたパーソナルビデオレコーダにおいて、
上記受信部が受信した上記高画質ディジタルテレビ放送信号をデコードするとともに、このデコードされた高画質テレビ放送信号を標準画質ディジタルテレビ放送信号にダウンコンバートするダウンコンバータと、
上記ダウンコンバータによりダウンコンバートされた標準画質ディジタルテレビ放送信号を圧縮するエンコーダと、
上記受信部で受信したテレビ放送信号が、上記高画質ディジタルテレビ放送信号であるか、標準画質ディジタルテレビ放送信号であるかを、このテレビ放送信号の転送レートから判別する判別手段と、を備え、
上記記録部は、上記判別手段が高画質ディジタルテレビ放送信号であると判別したときには上記エンコーダによりエンコードされた標準画質ディジタルテレビ放送信号を記録し、反対に上記判別手段が標準画質ディジタルテレビ放送信号であると判別したときには上記受信部で受信したテレビ放送信号を直接記録する。
【００１４】
この構成では、判別手段が受信部で受信したテレビ放送信号が、高画質ディジタルテレビ放送信号であるか、標準画質ディジタルテレビ放送信号であるかを、このテレビ放送信号の転送レートから判別する。通常、高画質ディジタルテレビ放送信号の転送レートは約２０Ｍｂｐｓであり、標準画質ディジタルテレビ放送信号の転送レートは２〜１４Ｍｂｐｓである。したがって、受信部で受信したテレビ放送信号の転送レートから、このテレビ放送信号が高画質ディジタルテレビ放送信号であるか、標準画質ディジタルテレビ放送信号であるかを正確に判別できる。受信部で受信したテレビ放送信号が、高画質ディジタルテレビ放送信号であれば、この高画質ディジタルテレビ放送信号をデコードし、さらにデコードした高画質ディジタルテレビ放送信号を標準画質ディジタルテレビ放送信号にダウンコンバートする。このダウンコンバートした標準画質ディジタルテレビ放送信号をエンコーダで圧縮し、記録部に記録する。
【００１５】
また、受信部で受信したテレビ放送信号が、標準画質ディジタルテレビ放送信号であれば、この標準画質ディジタル放送信号をデコードすることなく直接記録部に記録する。このように、受信部で受信したテレビ放送信号が、高画質ディジタルテレビ放送信号であれば、標準画質ディジタルテレビ放送信号にダウンコンバートして記録部に記録するので、記録部の記憶容量を増加させることなく、録画時間を延ばすことができる。
【００１６】
記録部は、例えばハードディスク等の記録媒体を有する構成とすればよい。例えば、記録容量が６０Ｇｂｙｔｅであるハードディスクを用いれば、従来約５時間であった録画時間が約７〜５０時間に延ばすことができる。
【００１８】
さらに、受信部で受信したディジタルテレビ放送信号が標準画質ディジタルテレビ放送信号であれば、受信したディジタル放送信号をデコードすることなく直接記録部に記録する構成としたので、録画時における無駄な処理を無くすことができ、本体の消費電力を低減することができる。また、録画処理に要する時間も短縮できる。
【００１９】
【発明の実施の形態】
以下、この発明の実施形態であるパーソナルビデオレコーダ（以下、ＰＶＲと言う。）について説明する。
【００２０】
図１は、この実施形態のＰＶＲの構成を示すブロック図である。ＰＶＲ１は、ディジタルテレビ放送による番組を録画する装置である。２は受信部であり、ディジタルテレビ放送信号を受信するアンテナ（不図示）が接続されている。３は、受信部２で受信したディジタルテレビ放送信号をＭＰＥＧデコーダ４、または記録部８のいずれか一方に入力する切換部である
【００２１】
ディジタルテレビ放送信号はＭＰＥＧ２で圧縮されている。ディジタルテレビ放送信号には、ＨＤ方式による高画質ディジタルテレビ放送信号と、ＳＤ方式による標準画質ディジタルテレビ放送信号の２つがある。ＨＤ方式による高画質ディジタルテレビ放送信号の転送レートは約２０Ｍｂｐｓであり、ＳＤ方式による標準画質ディジタルテレビ放送信号の転送レートは約２〜１４Ｍｂｐｓである。このように、標準画質ディジタルテレビ放送信号の転送レートは、高画質ディジタルテレビ放送信号の転送レートの０．１〜０．７倍である。
【００２２】
ＭＰＥＧデコーダ４は入力されたディジタルテレビ放送信号をデコードするとともに、入力されたディジタルテレビ放送信号がＨＤ方式による高画質ディジタルテレビ放送信号であればＳＤ方式による標準画質ディジタルテレビ放送信号にダウンコンバートする。
【００２３】
ＭＰＥＧデコーダ４から出力されたＳＤ方式による標準画質ディジタルテレビ放送信号は、ＮＴＳＣコンバータ５およびＭＰＥＧエンコーダ６に入力される。ＮＴＳＣコンバータ５は、入力されたＳＤ方式による標準画質ディジタルテレビ放送信号を、ＮＴＳＣ方式のカラー信号（Ｃｏｍｐｏｓｉｔｅ信号）にコンバートし、出力する。したがって、ＮＴＳＣコンバータ５から出力されるＣｏｍｐｏｓｉｔｅ信号をＮＴＳＣ方式のテレビ受像機に入力することにより、ＮＴＳＣ方式のテレビ受像機でディジタルテレビ放送の番組を楽しむことができる。また、ＭＰＥＧエンコーダ６は、入力されたＳＤ方式による標準画質ディジタルテレビ放送信号をＭＰＥＧ２でエンコードし出力する。
【００２４】
記録部７は、大容量、例えば６０Ｇｂｙｔｅ、のハードディスクを有しており、ＭＰＥＧエンコーダ６、または切換部３から入力されたＳＤ方式による標準画質ディジタルテレビ放送信号を上記ハードディスクに記録する。
【００２５】
さらに、ＭＰＥＧデコーダ４は、記録部７のハードディスクに記録されているＳＤ方式による標準画質ディジタルテレビ放送信号を読み出し、デコードする再生機能も有している。
【００２６】
なお、上記各部は図示していない制御部によりその動作が制御される。
【００２７】
次に、この実施形態のＰＶＲ１における録画処理について説明する。図２は、録画処理を示すフローチャートである。
【００２８】
ＰＶＲ１は、リモコン装置からの録画開始コマンドを受信したとき、または本体の操作部の録画開始キーが操作されたとき、さらには予め設定されている録画予約の録画開始時間になったときにこの録画処理を開始する。
【００２９】
ＰＶＲ１は、受信部２で受信しているディジタルテレビ放送信号がＨＤ方式による高画質ディジタルテレビ放送信号であるか、ＳＤ方式による標準画質ディジタルテレビ放送信号であるかを判別する（ｓ１）。ｓ１では、受信部２で受信しているディジタルテレビ放送信号の転送レートが略２０ＭｂｐｓであればＨＤ方式による高画質ディジタルテレビ放送信号であると判別し、２〜１４ＭｂｐｓであればＳＤ方式による標準画質ディジタルテレビ放送信号であると判別する。
【００３０】
ＰＶＲ１は、ｓ１でＨＤ方式であると判別すると、切換部３を制御して受信部２で受信している高画質ディジタルテレビ放送信号をＭＰＥＧデコーダ４に入力する（ｓ２）。ＭＰＥＧデコーダ４は、入力された高画質ディジタルテレビ放送信号をデコードするとともに、ＳＤ方式による標準画質ディジタルテレビ放送信号にダウンコンバートする（ｓ３）。ＭＰＥＧデコーダ４でダウンコンバートされたＳＤ方式による標準画質ディジタルテレビ放送信号は、ＭＰＥＧエンコーダ６に入力される。ＭＰＥＧエンコーダ６は、入力されたＳＤ方式による標準画質ディジタルテレビ放送信号をＭＰＥＧ２でエンコードする（ｓ４）。ＭＰＥＧエンコーダ６でエンコードされたＳＤ方式による標準画質ディジタルテレビ放送信号は、記録部７に入力され、ハードディスクに記録される（ｓ５）。
【００３１】
ＰＶＲ１は、ｓ６で録画終了のタイミングであると判定するまで、上記ｓ２〜ｓ５の処理を繰り返す。
【００３２】
一方、ｓ１でＳＤ方式であると判定すると、切換部３を制御して受信部２で受信している標準画質ディジタルテレビ放送信号を記録部７に入力し、ハードディスクに記録する（ｓ７）。ＰＶＲ１は、ｓ８で録画終了のタイミングであると判定するまで、上記ｓ７の処理、すなわち受信部２で受信している標準画質ディジタルテレビ放送信号を記録部７のハードディスクに記録する処理、を繰り返す。
【００３３】
ＰＶＲ１は、ｓ６またはｓ８で録画終了タイミングであると判定すると、この録画処理を終了する。ＰＶＲ１は、リモコン装置からの録画終了コマンドを受信したとき、または本体の操作部の録画終了キーが操作されたとき、さらには予め設定されている録画予約の録画終了時間になったときに、録画終了タイミングであると判定する。
【００３４】
上記説明から明らかなように、この実施形態のＰＶＲ１では記録部７に記録されるディジタルテレビ放送信号は、常にＳＤ方式による標準画質ディジタルテレビ放送信号である。ＳＤ方式による標準画質ディジタルテレビ放送信号は、ＨＤ方式のディジタルテレビ放送信号に比べて転送レートが小さい。このため、ハードディスクの記憶容量を増加させることなく、録画時間を延ばすことができる。例えば、ハードディスクの記憶容量が６０Ｇｂｙｔｅである場合、転送レートが２０ＭｂｐｓであるＨＤ方式による高画質ディジタルテレビ放送信号であれば、録画時間は約５時間であるが、転送レートが２ＭｂｐｓであるＳＤ方式による標準画質ディジタルテレビ放送信号であれば、録画時間は約１０倍の５０時間になる。
【００３５】
また、受信部２で受信しているディジタルテレビ放送信号がＳＤ方式による標準画質ディジタルテレビ放送信号であれば、切換部３を制御して直接記録部７に入力し、ハードディスクに記録するようにしたので、ＳＤ方式によるディジタルテレビ放送信号の録画動作の無駄もなく、録画処理時における本体の消費電力を低減できる。
【００３６】
次に、記録部７に記録されているＳＤ方式によるディジタルテレビ放送信号の再生処理について説明する。図３は、ＰＶＲの再生処理を示すフローチャートである。
【００３７】
ＰＶＲ１は、リモコン装置からの再生開始コマンドを受信したとき、または本体の操作部の再生開始キーが操作されたときに、この再生処理を開始する。なお、このとき記録部７に記録している再生するディジタルテレビ放送信号（番組）も指定されている。
【００３８】
ＰＶＲ１は、記録部７のハードディスクに記録しているディジタルテレビ放送信号の中で、再生が指示されたディジタルテレビ放送信号をＭＰＥＧデコーダ４に入力する（ｓ１１）。ＭＰＥＧデコーダ４は、記録部７から入力されたＳＤ方式による標準画質ディジタルテレビ放送信号をデコードし、ＮＴＳＣコンバータ５に入力する（ｓ１２）。ＮＴＳＣコンバータ５は、入力されたディジタルテレビ放送信号をＮＴＳＣ方式のＣｏｍｐｏｓｉｔｅ信号にコンバートし、出力する（ｓ１３）。ＰＶＲ１は、再生終了タイミングになるまで上記ｓ１１〜ｓ１３の処理を繰り返す。
【００３９】
したがって、ＮＴＳＣコンバータ５の出力をＮＴＳＣ方式のテレビに入力することにより、録画したディジタルテレビ放送の番組をＮＴＳＣ方式のテレビで視聴することができる。
【００４０】
【発明の効果】
以上のように、この発明によれば、高画質ディジタルテレビ放送信号ではなく、標準画質ディジタルテレビ放送信号で記録部に記録する構成としたので、記憶容量を増加させることなく、録画時間を延ばすことができる。
【００４１】
また、受信しているディジタルテレビ放送信号が標準画質ディジタルテレビ放送信号であれば、該ディジタルテレビ放送信号を処理することなく直接記録部に記録するように構成したので、録画時の無駄な処理を無くし、本体の消費電力を低減することができる。
【図面の簡単な説明】
【図１】この発明の実施形態であるＰＶＲの構成を示すブロック図である。
【図２】この発明の実施形態であるＰＶＲの録画処理を示すフローチャートである。
【図３】この発明の実施形態であるＰＶＲの再生処理を示すフローチャートである。
【図４】従来のＰＶＲの構成を示すブロック図である。
【符号の説明】
１−ＰＶＲ
２−受信部
３−切換部
４−ＭＰＥＧデコーダ
５−ＮＴＳＣコンバータ
６−ＭＰＥＧエンコーダ
７−記録部
【図１】
0003632972.tif 000002
【図２】
0003632972.tif 000003
【図３】
0003632972.tif 000004
【図４】
0003632972.tif 000005